(57)【要約】【課題】光の照射方向を調節することができ、利便性のよい照明装置を提供する。【解決手段】照明装置１は、基板２１にＬＥＤ２２を取り付けた光源モジュール２と、ＬＥＤ２２に電力を供給する給電回路部１２と、光源モジュール２を覆い、ＬＥＤ２２が発する光を透過する透光部１１とを備えている。収容体１４に収容した支持部４により、交差する２軸回りに回動可能に基板２１を支持する。収容体１４の外部に突出した調節部３の操作軸３１を回動させることにより、操作軸３１に連結された基板２１が回動し、ＬＥＤ２２からの光の照射方向が調節される。【選択図】図２
2013080564.tif 000002
【特許請求の範囲】
【請求項１】
光源と、
該光源を取り付けた基板と、
前記光源に電力を供給する給電回路部と、
前記光源及び前記基板を覆い、前記光源が発する光を透過する透光部とを備える照明装置において、
前記基板を回動して前記光源からの光の照射方向を調節する調節部を備えることを特徴とする照明装置。
【請求項２】
交差する２軸回りに回動可能に前記基板を支持する支持部を備えることを特徴とする請求項１に記載の照明装置。
【請求項３】
前記支持部を収容する収容体を備え、
前記調節部は、
前記収容体に設けた長孔を通して外部へ突出し、前記基板に連結する操作軸を有し、
前記支持部は、
前記操作軸を該操作軸の軸回りに回動可能に支持する第１支持部材、及び、該操作軸の軸方向と交差する回動軸回りに回動可能に前記第１支持部材を支持する第２支持部材を有し、
前記長孔は、前記操作軸が前記回動軸回りに回動する方向を長手方向としてあることを特徴とする請求項２に記載の照明装置。
【請求項４】
前記支持部は、
前記基板と平行に前記基板に取り付けられ、前記第１支持部材により回動可能に支持される従動軸を有し、
前記操作軸は、該操作軸の軸回りの回動を減速する減速部を介して前記従動軸に連結してあることを特徴とする請求項２又は請求項３に記載の照明装置。
【請求項５】
前記調節部は、前記長孔を覆うカバーを有することを特徴とする請求項３又は４に記載の照明装置。
【発明の詳細な説明】
【技術分野】
【０００１】
本発明は、光源を有する照明装置に関する。
【背景技術】
【０００２】
近年、白熱電球及び電球型蛍光ランプの代替に、発光ダイオード（以下ＬＥＤという）を光源とするＬＥＤ電球が使用されてきている。ＬＥＤ電球は、白熱電球及び電球型蛍光ランプと比較して、消費電力及び寿命に優れていることからますます注目されている。
【０００３】
一般的に、ＬＥＤ電球では、１又は複数のＬＥＤを取り付けた基板が透光グローブ内に固定されているため、電球を電球用ソケットに取り付けた状態において、光の照射方向が電球用ソケットの方向により決まる。
【０００４】
特許文献１には、ＬＥＤを取り付けた基板が透光グローブ内に固定されていないＬＥＤ電球が開示されている。このＬＥＤ電球は、電球用ソケットに着脱自在に装着される口金、口金に固定された支持部、ＬＥＤを取り付けた基板の裏面側に設けた被支持部等を有し、支持部によって被支持部を回転自在に支持するようにしてある。このＬＥＤ電球を電球用ソケットに取り付けると、ＬＥＤを取り付けた基板がその自重によって下方に位置するように回転するので、電球用ソケットの方向によらず、ＬＥＤによる光の照射方向を鉛直下向きに限定することができる。また、被支持部に対してＬＥＤと反対側に錘を配置することにより、錘が下方に位置するように基板が回転するので、ＬＥＤによる光の照射方向を鉛直上向きにすることができるというものである。
【先行技術文献】
【特許文献】
【０００５】
【特許文献１】特開２０１０−０５５８３０号公報
【発明の概要】
【発明が解決しようとする課題】
【０００６】
しかしながら、特許文献１に記載の技術によれば、ＬＥＤ電球を水平横向き又は斜め方向に取り付けても、鉛直下向き又は上向きに光を照射することができるが、光の照射方向が制限されてしまう。即ち、ＬＥＤ電球を取り付ける方向の自由度は高いが、光の照射方向は鉛直下向き又は上向きに制限されており自由度は低いため、使用者による利便性が低いという問題点があった。
【０００７】
本発明は斯かる事情に鑑みてなされたものであり、その目的とするところは、主として光の照射方向を調節することができ、利便性のよい照明装置を提供することにある。
【課題を解決するための手段】
【０００８】
本発明に係る照明装置は、光源と、該光源を取り付けた基板と、前記光源に電力を供給する給電回路部と、前記光源及び前記基板を覆い、前記光源が発する光を透過する透光部とを備える照明装置において、前記基板を回動して前記光源からの光の照射方向を調節する調節部を備えることを特徴とする。
【０００９】
本発明にあっては、光源を基板に取り付け、調節部により、基板を回動して光源からの光の照射方向を調節するため、照明装置の取り付けの向きによらず、光源からの光の照射方向を調節することができる。
【００１０】
本発明に係る照明装置は、交差する２軸回りに回動可能に前記基板を支持する支持部を備えることを特徴とする。
【００１１】
本発明にあっては、支持部により交差する２軸回りに回動可能に基板を支持するため、光源からの光の照射方向の調節範囲が広がる。
【００１２】
本発明に係る照明装置は、前記支持部を収容する収容体を備え、前記調節部は、前記収容体に設けた長孔を通して外部へ突出し、前記基板に連結する操作軸を有し、前記支持部は、前記操作軸を該操作軸の軸回りに回動可能に支持する第１支持部材、及び、該操作軸の軸方向と交差する回動軸回りに回動可能に前記第１支持部材を支持する第２支持部材を有し、前記長孔は、前記操作軸が前記回動軸回りに回動する方向を長手方向としてあることを特徴とする。
【００１３】
本発明にあっては、操作軸が収容体に設けた長孔を通して外部へ突出しており、第１支持部材により操作軸を操作軸の軸回りに回動可能に支持し、第２支持部材により、操作軸の軸方向と交差する回動軸回りに回動可能に第１支持部材を支持し、長孔は、操作軸が回動軸回りに回動する方向を長手方向とする。このため、照明装置の外部に突き出た操作軸により、光の照射方向を調整することができる。
【００１４】
本発明に係る照明装置は、前記支持部が、前記基板と平行に前記基板に取り付けられ、前記第１支持部材により回動可能に支持される従動軸を有し、前記操作軸は、該操作軸の軸回りの回動を減速する減速部を介して前記従動軸に連結してあることを特徴とする。
【００１５】
本発明にあっては、基板と平行に基板に取り付けられ、第１支持部材により回動可能に支持される従動軸を有し、操作軸は、操作軸の軸回りの回動を減速する減速部を介して従動軸に連結してあるため、操作軸の操作によって、光の照射方向を微調整することができる。
【００１６】
本発明に係る照明装置は、前記調節部が、前記長孔を覆うカバーを有することを特徴とする。
【００１７】
本発明にあっては、調節部が、長孔を覆うカバーを有するため、長孔からの光のもれを抑制することができる。
【発明の効果】
【００１８】
本発明によれば、光源を基板に取り付け、調節部により、基板を回動して光源からの光の照射方向を調節するため、照明装置の取り付けの向きによらず、光源からの光の照射方向を調節することができ、使用者による利便性が向上する。
【図面の簡単な説明】
【００１９】
【図１】本発明の実施の形態に係る照明装置の外観斜視図である。
【図２】本発明の実施の形態１に係る照明装置の縦断正面図である。
【図３】図２の支持部の側面図である。
【図４】図２の基板を上から見た上面図である。
【図５】図２の角度設定部の縦断正面図である。
【図６】図２の角度設定部の縦断側面図である。
【図７】本発明の実施の形態２に係る照明装置の縦断正面図である。
【図８】図７の支持部の側面図である。
【図９】図７の基板を上から見た上面図である。
【発明を実施するための形態】
【００２０】
（実施の形態１）
以下、本発明をその実施の形態を示す図面に基づいて、電球用のソケットに取り付けられる所謂ＬＥＤ電球型の照明装置１を例に詳述する。図１は、本発明の実施の形態に係る照明装置１の外観斜視図である。図２は、本発明の実施の形態１に係る照明装置１の縦断正面図である。
【００２１】
本実施形態に係る照明装置１は、複数のＬＥＤ２２が実装された光源モジュール２と、光源モジュール２を覆う透光部１１と、光源モジュール２へ電力を供給する給電回路部１２と、外部電源（電球用ソケット）に接続するための口金部１３と、支持部４及び給電回路部１２等を収容する収容体１４と、光源モジュール２を回動可能に支持する支持部４と、光源モジュール２からの光の照射方向を調節する調節部３とを備えている。
【００２２】
光源モジュール２は、基板２１と、ＬＥＤ２２と、連結部材２３とを備えている。基板２１は、円形のセラミック製又は樹脂製等の基板である。ＬＥＤ２２としては、例えば、ＬＥＤ素子と、該ＬＥＤ素子を封止し、蛍光体が分散された封止樹脂と、入力端子及び出力端子とを備えてなる表面実装型ＬＥＤを用いる。基板２１の一側の面に、複数個のＬＥＤ２２を取り付けてあり、基板２１の他側の面に、軸を通す貫通孔を設けた板状の連結部材２３を取り付けてある。光源モジュール２は、基板２１のＬＥＤ２２を配置した面の法線方向に光を照射するように機能する。なお、ＬＥＤ２２は、個数には制限はなく、光の照射が均一になるように基板２１の面上で上下左右が対象になるよう配置することが望ましい。
【００２３】
透光部１１は、ドーム状をなし、光源モジュール２を覆って保護するとともに、光源モジュール２が発する光を透光する。透光部１１は、例えば、耐衝撃性及び耐熱性に優れた乳白色のポリカーボネート樹脂製であり、縁が収容体１４の鍔部１４ａと当接した状態で、収容体１４に固着されている。
【００２４】
給電回路部１２は、矩形の回路基板１２ａの上に複数の給電回路部品１２ｂ，１２ｂ，１２ｂ・・・を実装して構成されている。回路基板１２ａは、収容体１４内に収容可能な外形寸法を有し、口金部１３に接続されるとともに、リード線１２ｃによって光源モジュール２へ接続される。リード線１２ｃは、後述するように調節部３の方位軸上の孔を利用して配線される。
【００２５】
口金部１３は、円筒状をなし、内側に空洞を有しており、一端側が開口し、他端側には底を有している。また、口金部１３は、収容体１４に、一端側の開口部分を絶縁した状態で取り付けてある。口金部１３の外周面は、電球用ソケットと螺合するためのネジ加工が施されており、該外周面は一極端子の役割をなしている。また、口金部１３の底面は、前記外周面と絶縁して他極端子が突設されており、他極端子及び一極端子は、リード線（図示略）を介して給電回路部１２に電気的に接続している。
【００２６】
収容体１４は、例えば、放熱性が良く軽量なアルミ製であり、漏斗状（中空円錐台形状）をなし、一側に設けた鍔部１４ａに透光部１１を固着してある。収容体１４の他側は、電気的に絶縁して口金部１３を取り付けてある。収容体１４の鍔部１４ａ下部の側面には、収容体１４の中心軸まわりに略１８０°開口する長孔１４ｂを形成してある。また、鍔部１４ａ部分の内周には、環状の板材である遮蔽板５が設けられ、光源モジュール２からの光が収容体１４の長孔１４ｂを通してもれることを抑制する。
【００２７】
支持部４は、ベース部材４１と、支柱部材４２とを備えている。ベース部材４１は円形の板状をなし、中央に孔を設けてある。支柱部材４２は、中央に孔を設けた略円形板状の底板４２ａに２つの支柱４２ｂ，４２ｂを立設してなる。支柱４２ｂ，４２ｂは、底板４２ａの中心を挟んで対向するように底板４２ａの周縁に立設されている。ベース部材４１の中央に設けた孔と、支柱部材４２の底板４２ａの中央に設けた孔とは、同径であり、これらの孔に、フランジを有する管部材４３を下側から挿通し、管部材４３の上側からリング部材４４を嵌めて、Ｃリングなどでリング部材４４の抜け止めをする。管部材４３の外径は、支柱部材４２の底板４２ａに設けた中央の孔の径よりも小さくしてあり、支柱部材４２は、管部材４３の中心軸回りに回動可能に支持される。なお、管部材４３の管内にはリード線１２ｃを配線してある。
【００２８】
また、支持部４は、支柱４２ｂ、４２ｂに１の軸を挿通して回動可能に支持するための貫通孔を有している。支持部４は、ベース部材４１の板面が漏斗状の収容体１４の中心軸に直交するように、収容体１４の内部に接着剤等により固着してある。従って、支柱部材４２は、ベース部材４１により管部材４３の中心軸回り、即ち、収容体１４の中心軸回りに回動可能に支持されている。また、支柱４２ｂ、４２ｂに夫々設けた貫通孔により、管部材４３の中心軸（換言すれば、収容体１４の中心軸）と交差する軸を回動可能に支持する。なお、支柱４２ｂ、４２ｂに夫々設けた貫通孔が同じ高さ位置にあることによって、支柱４２ｂ、４２ｂに夫々設けた貫通孔は、管部材４３の中心軸と直交する軸を回動可能に支持する。換言すれば、管部材４３の中心軸を方位軸としたときに、支柱部材４２が方位軸回りに回動可能に支持され、支柱４２ｂ、４２ｂに夫々設けた貫通孔により仰角軸を回動可能に支持する。
【００２９】
調節部３は、操作軸３１と、調節摘み３２と、角度設定部３３とを備えている。操作軸３１は、前述の支柱４２ｂ，４２ｂに設けた貫通孔に挿通してあり、支柱４２ｂ，４２ｂの略中央にて光源モジュール２の連結部材２３を固着してある。操作軸３１の一方の端部は、収容体１４に設けた長孔１４ｂを通して外部に突出しており、軸端に調節摘み３２が取り付けてある。ここで、操作軸３１と長孔１４ｂとの関係についてみれば、長孔１４ｂは、操作軸３１が管部材４３の中心軸（換言すれば、収容体１４の中心軸）回りに回動する方向を、長手方向としてある。角度設定部３３は、操作軸３１と一方の支柱４２ｂとの間に設けられており、操作軸３１の回転を規制し、複数の角度位置に設定し保持する。なお、調節摘み３２は熱伝導性が低い材料で形成し、光源モジュール２及び給電回路部１２の熱が調節摘み３２に伝導しないようにしておくことによって、光源モジュール２及び給電回路部１２が高温になっても、使用者が指等で調節摘み３を操作することを可能にする。
【００３０】
操作軸３１には、長孔１４ｂを内側から覆うように環状のカバー３４が取り付けられている。カバー３４は、外周面が収容体１４の内周面に沿う形状をなし、操作軸３１を挿通する孔を有する。カバー３４は、遮蔽板５と同様に、光源モジュール２からの光が収容体１４の長孔１４ｂを通してもれることを抑制する。
【００３１】
次に調節部３による光の照射方向の調節について説明する。図３は、図２の支持部４の側面図であり、図４は、図２の基板２１を上から見た上面図である。調節摘み３２を回動させることにより、操作軸３１が回動し、操作軸３１に固着した連結部材２３を介して連結された光源モジュール２が図３中の矢印Ａのように−９０°〜＋９０°回動し、光の照射方向を調節することができる。また、調節摘み３２を収容体１４に設けた長孔１４ｂに沿って動かすことにより、支柱部材４２が管部材４３の中心軸回りに回動し、図４中の矢印Ｂのように光源モジュール２の基板２１が−９０°〜＋９０°回動する。換言すれば、調節摘み３２を収容体１４に設けた長孔１４ｂに沿って動かすことにより、光源モジュール２が方位軸回りに−９０°〜＋９０°回動し、調節摘み３２を操作軸３１回りに回動させることにより、光源モジュール２が仰角軸回りに−９０°〜＋９０°回動する。このため、照明装置１を電球用ソケットに取り付けたとき、照明装置１が向く方向（収容体１４の中心軸方向であって、透光部１１側向きの方向）を天頂方向とする半球上の全ての方向に対して、光の照射方向を向けることができる。
【００３２】
図５は、図２の角度設定部３３の縦断正面図であり、図６は、図２の角度設定部３３の縦断側面図である。角度設定部３３は、ロータ３３ａと、ホルダ３３ｂとを備えている。ロータ３３ａは、中心に孔を設けた円形状の板であり、該孔に操作軸３１を挿通して固着してある。ロータ３３ａの外周には、１６等分された位置に球面状の穴を形成してある。ホルダ３３ｂは、リング状の板であり、一底面を支柱部材４２の支柱４２ｂに固着してある。ホルダ３３ｂの内周には、８等分された位置に柱状の穴を形成してあり、各穴に、ボール３３ｃと、弾性部材３３ｄとが収容してある。弾性部材３３ｄには、ばね材等を用いればよい。また、角度設定部３３は、支柱４２ｂ内に配置するようにしてもよく、さらに２つの支柱４２ｂ，４２ｂの両方に配置するようにしてもよい。
【００３３】
ロータ３３ａに形成した穴が、ホルダ３３ｂに形成した穴に臨むように、操作軸３１の軸方向におけるロータ３３ａ及びホルダ３３ｂの位置を合わせてある。ホルダ３３ｂに収容したボール３３ｃが、ばね３３ｄによってロータ３３ａに押し付けられてロータ３３ａの穴に嵌る。これにより、ロータ３３ａは周囲８か所でボール３３ｃにより中心方向へ押し付けられるとともに、ボール３３ｃがロータ３３ａの穴の傾斜部分に当接し、ホルダ３３ｂがロータ３３ａを円周方向に保持する保持力を生じる。ホルダ３３ｂがロータ３３ａを保持する保持力により、操作軸３１の回転が規制されて角度位置が設定される。ホルダ３３ｂによる保持力を超える回転力が操作軸３１に加えられたときに、弾性部材３３ｄが縮んで、ボール３３ｃがロータ３３ａの穴の傾斜面を乗り上げ、さらにロータ３３ａの穴から抜け出し、ロータ３３ａが回転し、ボール３３ｃは抜け出した穴に隣接する穴に嵌り、再びホルダ３３ｂによるロータ３３ａの保持力が生じ、ロータ３３ａ及び操作軸３１の角度位置が段階的に設定される。
【００３４】
以上のように、本実施形態によれば、光源であるＬＥＤ２２を基板２１に取り付け、調節部３により、基板２１を回動して光源からの光の照射方向を調節するため、照明装置１の取り付けの向きによらず、光源からの光の照射方向を調節することができ、使用者による利便性を向上することができる。また、本実施形態によれば、収容体１４に収容した支持部４により、基板２１を交差する２軸回りに回動可能に支持するため、光源からの光の照射方向の調節範囲が広がる。
【００３５】
また、本実施形態によれば、操作軸３１が収容体１４に設けた長孔１４ｂを通して外部へ突出しており、支柱部材４２により、操作軸３１を操作軸３１の軸回りに回動可能に支持し、ベース部材４１により、操作軸３１の軸方向と交差する回動軸である管部材４３の中心軸回りに回動可能に支柱部材４２を支持する。長孔１４ｂは、操作軸３１が管部材４３の中心軸回りに回動する方向を長手方向としてある。このため、照明装置１の外部に突き出た操作軸３１により、光の照射方向を調整することができる。
【００３６】
また、本実施形態によれば、調節部３が長孔１４ｂを覆うカバー３４を有するため、長孔１４ｂからの光のもれを抑制することができる。
【００３７】
（実施の形態２）
実施の形態１では、操作軸３１に直接的に光源モジュール２の連結部材２３を固着し、光源モジュール２を連結させる構成としたが、図７に示すように、支持部４に設けた従動軸４５に連結部材２３を固着させ、減速部６を介して、操作軸３１を従動軸４５及び光源モジュール２に連結するように構成してもよい。
【００３８】
図７は、本発明の実施の形態２に係る照明装置１の縦断正面図、図８は、図７の支持部１４の側面図、図９は、図７の基板２１を上から見た上面図である。支持部４は支柱４２ｂ，４２ｂに設けた孔に挿通して支持する従動軸４５を備える。従動軸４５には、支柱４２ｂ，４２ｂの略中央において、連結部材２３を固着してある。
【００３９】
減速部６は、ギアボックス６１と、駆動歯車６２と、中間歯車６３と、従動歯車６４とを備えている。ギアボックス６１は平面視Ｃ字状の箱であり、駆動歯車６２及び中間歯車６３の軸を挿通する孔を有し、支持部４の一方の支柱４２ｂに取り付けてある。ギアボックス６１を取り付けた支柱４２ｂにも、駆動歯車６２及び中間歯車６３の軸を挿通する孔を設けている。駆動歯車６２は、操作軸３１に固着してギアボックス６１内に収容してあり、操作軸３１は、ギアボックス６１に設けた孔及び支柱４２ｂに設けた孔に挿通されて回動可能に支持されている。また、中間歯車６３は、ギアボックス６１及び支柱４２ｂにより軸支されている。従動歯車６４は、支柱４２ｂから突き出た従動軸４５の端部に固着されている。
【００４０】
駆動歯車６２及び従動歯車６４は夫々、中間歯車６３に噛合しており、駆動歯車６２及び従動歯車６４は同じ方向に回動する。また、駆動歯車６２及び中間歯車６３の径は同じであり、従動歯車６４の径は、駆動歯車６２及び中間歯車６３の径の２倍としてあり、減速比は２となっている。
【００４１】
操作軸３１を調節摘み３２により回動させると、駆動歯車６２が回動し、中間歯車６３を介して、従動歯車６４が回動し、従動軸４５に固着した連結部材２３が回動することにより、図８中の矢印Ａのように光源モジュール２が−９０°〜＋９０°回動する。また、調節摘み３２を収容体１４に設けた長孔１４ｂに沿って動かすことにより、支柱部材４２が管部材４３の中心軸回りに回動し、図９中の矢印Ｂのように光源モジュール２の基板２１が−９０°〜＋９０°回動する。換言すれば、調節摘み３２を収容体１４に設けた長孔１４ｂに沿って動かすことにより、光源モジュール２が方位軸回りに−９０°〜＋９０°回動し、調節摘み３２を操作軸３１回りに回動させることにより、光源モジュール２が仰角軸回りに−９０°〜＋９０°回動する。
【００４２】
以上のように、本実施形態によれば、支持部４が、光源モジュール２の基板２１と平行に基板２１に取り付けられ、支柱部材４２により回動可能に支持される従動軸４５を有し、操作軸３１は、操作軸３１の軸回りの回動を減速する減速部６を介して従動軸４５及び光源モジュール２に連結してある。このため、操作軸３１を操作軸３１の軸回りに回動する操作によって、減速比（＝２）の分だけ減速させて光源モジュール２が回動するので、光源モジュール２からの光の照射方向を微調整することができ、使用者による利便性を向上することができる。本実施形態においては、角度設定部３３を設けても良いし、設けなくても良い。角度設定部３３を設けない場合には、光源モジュール２の角度位置が外力及び自重に抗して保持される程度に、操作軸３１、従動軸４５、減速部６等の機構部分に適度な内部摩擦力が生じていれば良く、内部摩擦力が不足であれば、該機構部分に公知のブレーキ要素を更に付加すれば良い。
【００４３】
なお、本発明は、本実施の形態だけに限ることなく、特許請求の範囲に記載された発明の技術的範囲及びそれと均等な範囲に及ぶものとする。
【符号の説明】
【００４４】
１１  透光部
１２  給電回路部
１４  収容体
１４ｂ  長孔
２１  基板
２２  ＬＥＤ（光源）
３  調節部
３１  操作軸
３４  カバー
４  支持部
４１  ベース部材（第２支持部材）
４２  支柱部材（第１支持部材）
４５  従動軸
６  減速部
【図１】
2013080564.tif 000003
【図２】
2013080564.tif 000004
【図３】
2013080564.tif 000005
【図４】
2013080564.tif 000006
【図５】
2013080564.tif 000007
【図６】
2013080564.tif 000008
【図７】
2013080564.tif 000009
【図８】
2013080564.tif 000010
【図９】
2013080564.tif 000011